(57)【要約】【課題】フィルタ装置としての性能を維持しつつ、メンテナンスの手間およびコストを低減する。【解決手段】フィルタ装置１０は、筒状をなし、一端側と他端側にそれぞれ開口部２５、２６を有した外枠２０と、外枠２０の内側に設けられ、一端側の開口部２５と他端側の開口部２６とを結ぶ方向に対して交差する面内に位置するフィルタ濾材１００の上端部１００ｔを支持してフィルタ濾材１００を吊下するフィルタ吊下部３０と、フィルタ濾材１００に対して一端側の開口部２５の内側に固定され、フィルタ濾材１００の外周部に突き当たる固定枠４０と、フィルタ濾材１００に対して他端側に配置され、固定枠４０に対して接離する方向に移動可能に設けられ、固定枠４０との間にフィルタ濾材１００の外周部を挟み込む移動枠５０と、移動枠５０を固定枠４０に対して接離する方向に移動させる移動枠駆動部６０と、を備える。【選択図】図３
2018054195.tif 000002
【特許請求の範囲】
【請求項１】
筒状をなし、一端側と他端側にそれぞれ開口部を有した外枠と、
前記外枠の内側に設けられ、前記一端側の前記開口部と前記他端側の前記開口部とを結ぶ方向に対して交差する面内に位置するフィルタ濾材の上端部を支持して前記フィルタ濾材を吊下するフィルタ吊下部と、
前記フィルタ濾材に対して前記一端側の前記開口部の内側に固定され、前記フィルタ濾材の外周部に突き当たる固定枠と、
前記フィルタ濾材に対して前記他端側に配置され、前記固定枠に対して接離する方向に移動可能に設けられ、前記固定枠との間に前記フィルタ濾材の前記外周部を挟み込む移動枠と、
前記移動枠を前記固定枠に対して接離する方向に移動させる移動枠駆動部と、
を備えることを特徴とするフィルタ装置。
【請求項２】
前記フィルタ吊下部は、前記一端側の前記開口部と前記他端側の前記開口部とを結ぶ方向に対して交差する方向に延びるスリットを有したガイドレールを備え、
前記フィルタ濾材の上端部に、前記スリットにより下方への移動が規制されつつ、前記スリットに沿って移動可能なクリップ部材が装着されている、請求項１に記載のフィルタ装置。
【請求項３】
前記固定枠及び前記移動枠の何れか一方に溝が形成され、
前記固定枠及び前記移動枠の他方に前記溝に入り込む凸部が形成されている、
請求項１又は２に記載のフィルタ装置。
【請求項４】
前記外枠の一側面に形成された側面開口と、
前記側面開口を開閉する扉体と、
前記外枠において前記側面開口と対向する側に形成された覗き窓と、
を備える請求項１から３のいずれか一項に記載のフィルタ装置。
【発明の詳細な説明】
【技術分野】
【０００１】
本発明は、フィルタ装置に関する。
【背景技術】
【０００２】
医薬品、食品、半導体等を製造する施設においては、施設内の換気を行うため、給気口や給気ダクトを通して外気を導入する。このとき、外気とともに虫等の異物が施設内に侵入するのを防ぐため、虫等を捕捉するフィルタ濾材を有したフィルタ装置を、給気口や給気ダクトに設けている。
このようなフィルタ装置においては、フィルタ装置における異物侵入防止性能を維持するため、フィルタ濾材を適宜タイミングで交換する必要がある。また、虫等の異物がフィルタ濾材を通らず、フィルタ濾材とフィルタ濾材を支持するフィルタケーシングとの隙間を通って施設内に侵入することを防ぐため、フィルタ濾材とフィルタ濾材を支持するフィルタケーシングとの隙間を無くす必要がある。
【０００３】
例えば、特許文献１、２には、フィルタ濾材の外周部を金属製のフィルタ枠によって保持し、フィルタ枠ごとフィルタ濾材を交換可能としたフィルタ装置の構成が開示されている。また、この構成においては、カムによってフィルタ枠をケーシングに押圧することで、フィルタ枠とケーシングとの隙間を無くし、異物が隙間を通り抜けるのを防いでいる。
特許文献１に開示されたようなフィルタ装置では、フィルタ濾材を交換するには、フィルタ濾材とフィルタ濾材を支持するフィルタ枠とからなるフィルタごと交換する。取り外したフィルタは、フィルタ枠からフィルタ濾材を取り外すことで、新たなフィルタ濾材に交換することができる。このとき、フィルタ枠にフィルタ濾材を脱着するには、フィルタ枠を分解しなければならず、作業の手間がかかる。また、交換用のフィルタは、フィルタ装置に対応した専用のものとなり、汎用性が低く、これもコスト低減の妨げとなっている。
【先行技術文献】
【特許文献】
【０００４】
【特許文献１】特開２００５−２７３９７２号公報
【特許文献２】特開２０１０−１０７１０５号公報
【発明の概要】
【発明が解決しようとする課題】
【０００５】
本発明の目的は、フィルタ装置としての性能を維持しつつ、メンテナンスの手間およびコストを低減することが可能な、フィルタ装置を提供することである。
【課題を解決するための手段】
【０００６】
本発明は、上記課題を解決するため、以下の手段を採用する。
すなわち、本発明は、筒状をなし、一端側と他端側にそれぞれ開口部を有した外枠と、前記外枠の内側に設けられ、前記一端側の前記開口部と前記他端側の前記開口部とを結ぶ方向に対して交差する面内に位置するフィルタ濾材の上端部を支持して前記フィルタ濾材を吊下するフィルタ吊下部と、前記フィルタ濾材に対して前記一端側の前記開口部の内側に固定され、前記フィルタ濾材の外周部に突き当たる固定枠と、前記フィルタ濾材に対して前記他端側に配置され、前記固定枠に対して接離する方向に移動可能に設けられ、前記固定枠との間に前記フィルタ濾材の前記外周部を挟み込む移動枠と、前記移動枠を前記固定枠に対して接離する方向に移動させる移動枠駆動部と、を備えることを特徴とするフィルタ装置を提供する。
【０００７】
このような構成によれば、フィルタ濾材は、フィルタ吊下部によって上端部が吊下されるとともに、固定枠と移動枠とに外周部が挟み込まれることで支持される。これにより、フィルタ濾材自体にフィルタ枠を備える必要が無く、交換用のフィルタコストを抑えることができる。また、フィルタ濾材のみを交換すればよいので、メンテナンスの手間も軽減される。さらに、移動枠を移動枠駆動部によって移動させることができるので、フィルタ交換の作業性も高まる。
また、固定枠は外枠の開口部の内側に固定され、この固定枠と移動枠との間にフィルタ濾材の外周部が挟み込まれるので、フィルタ濾材の外側を回り込んで外気が通り抜けてしまうのを防ぐことができ、外気に含まれる異物をフィルタ濾材で確実に捕捉することができる。
【０００８】
本発明の一態様においては、本発明のフィルタ装置は、前記フィルタ吊下部は、前記一端側の前記開口部と前記他端側の前記開口部とを結ぶ方向に対して交差する方向に延びるスリットを有したガイドレールを備え、前記フィルタ濾材の上端部に、前記スリットにより下方への移動が規制されつつ、前記スリットに沿って移動可能なクリップ部材が装着されている。
【０００９】
このような構成によれば、ガイドレールのスリットによって下方の移動が規制されるクリップ部材を、ガイドレールが連続する方向に移動させることで、クリップ部材でフィルタ濾材を吊下したまま、フィルタ濾材をフィルタ装置に装着することができる。
【００１０】
本発明の一態様においては、本発明のフィルタ装置は、前記固定枠及び前記移動枠の何れか一方に溝が形成され、前記固定枠及び前記移動枠の他方に前記溝に入り込む凸部が形成されている。
【００１１】
このような構成によれば、溝と凸部とでフィルタ濾材を挟み込むことで、固定枠と移動枠とでフィルタ濾材の外周部を確実に保持することができる。さらに、フィルタ濾材の外側を回り込んで外気が通り抜けてしまうのを、より確実に防ぐことができ、外気に含まれる異物をフィルタ濾材で確実に捕捉することができる。
【００１２】
本発明の一態様においては、本発明のフィルタ装置は、前記外枠の一側面に形成された側面開口と、前記側面開口を開閉する扉体と、前記外枠において前記側面開口と対向する側に形成された覗き窓と、を備える。
【００１３】
このような構成によれば、フィルタ装置へのフィルタ濾材の着脱時には、側面開口を通してフィルタ濾材をフィルタ装置に着脱することができる。また、側面開口及び側面開口を開閉する扉体は、外枠の一側面のみに形成すればよいので、フィルタ装置のコストを抑えることができる。
また、側面開口の反対側に覗き窓を設けることで、フィルタ濾材の固定枠と移動枠との間への固定状況等を目視により確認することができる。
【発明の効果】
【００１４】
本発明によれば、フィルタ装置としての性能を維持しつつ、メンテナンスの手間およびコストを低減することが可能となる。
【図面の簡単な説明】
【００１５】
【図１】本実施形態にかかるフィルタ装置の全体構成を示す斜視図である。
【図２】上記フィルタ装置の内部の構成を示す斜視図である。
【図３】上記フィルタ装置の側断面図である。
【図４】上記フィルタ装置の平断面図である。
【図５】上記フィルタ装置におけるフィルタ濾材の固定構造を示す側断面図である。
【図６】上記フィルタ装置において、移動枠を固定枠から離間させた状態を示す側断面図である。
【発明を実施するための形態】
【００１６】
以下、添付図面を参照して、本発明によるフィルタ装置を実施するための形態について、図面に基づいて説明する。
本実施形態にかかるフィルタ装置の全体構成を示す斜視図を図１に示す。上記フィルタ装置の内部の構成を示す斜視図を図２に示す。上記フィルタ装置の側断面図を図３に示す。上記フィルタ装置の平断面図を図４に示す。上記フィルタ装置におけるフィルタ濾材の固定構造を示す側断面図を図５に示す。上記フィルタ装置において、移動枠を固定枠から離間させた状態を示す側断面図を図６に示す。
図１〜図４に示されるように、フィルタ装置１０は、外枠２０と、フィルタ吊下部３０（図３、図４参照）と、固定枠４０と、移動枠５０と、を備える。
【００１７】
図１に示されるように、外枠２０は、フィルタ装置１０が設置される、医薬品、食品、半導体等を製造する施設に設けられた給気口や給気ダクトに固定される。外枠２０は、下方に配置された底板部２１と、底板部２１の上方に間隔を空けて配置された天板部２２と、底板部２１と天板部２２との両端部同士を連結する側板部２３，２４と、を備えた矩形筒状をなしている。
ここで、一方の側板部２３は、側面開口２３ａと、側面開口２３ａを図４にＡとして示されている矢印の方向に開閉する扉体２３ｄを有している。また、他方の側板部２４は、透過性を有した樹脂やガラス等からなる覗き窓２４ｗを、例えば上下方向に間隔を空けた３個所に有している。
このような外枠２０の一面側と他面側には、図１と図２にそれぞれ示されるように、底板部２１、天板部２２、及び、側板部２３，２４の各々の、長さ方向に延在する端辺によって囲われた開口部２５，２６が形成され、一方の開口部２５と他方の開口部２６を通して、外枠２０の内側を外気が流通する。
また、図１〜図３に示されるように、外枠２０の底板部２１上には、後述するフィルタ濾材１００によって捕捉された異物がフィルタ濾材１００から落下したときに、この異物を回収するトレー２９が設けられている。トレー２９は、扉体２３ｄを開いた状態で、側面開口２３ａを通して出し入れすることができる。
【００１８】
図３、図５に示されるように、フィルタ吊下部３０は、天板部２２の下方に設けられたガイドレール３１を有している。ガイドレール３１は、一方の側板部２３と他方の側板部２４とを結ぶ横方向に連続して形成されている。ガイドレール３１は、上板部３１ａと、上板部３１ａの両側から下方に向かって垂下する垂下壁３１ｂ，３１ｂと、垂下壁３１ｂ，３１ｂの下端から垂下壁３１ｂ，３１ｂ同士が対向する対向方向内側に向かって延びる保持爪部３１ｃ，３１ｃと、を有している。保持爪部３１ｃ，３１ｃ同士は、前記対向方向において所定の間隔を空けて対向し、これによってガイドレール３１には、その長さ方向に連続するスリット３１ｓが形成されている。
このガイドレール３１は、上板部３１ａが外枠２０の天板部２２に例えばビスや溶接等によって固定されている。
【００１９】
図２に示されるように、固定枠４０は、外枠２０の底板部２１、天板部２２、側板部２３，２４のそれぞれに沿う枠材４１，４２，４３，４４によって、矩形状をなしている。この固定枠４０は、図１に示される、外枠２０の一方の開口部２５の内側に固定されている。固定枠４０と開口部２５との間は、図示しないシールゴム等が介装されることで、固定枠４０と開口部２５との間に隙間が生じるのを防いでもよい。
図５に示されるように、固定枠４０の枠材４１，４２，４３，４４のそれぞれには、移動枠５０と対向する側に、フィルタ濾材１００の外周部に突き当たる突き当たり部４５が突出して形成されている。この突き当たり部４５には、固定枠４０の周方向に連続する溝４５ｃが形成されている。
【００２０】
図２に示されるように、移動枠５０は、固定枠４０の枠材４１，４２，４３，４４に対向する枠材５１，５２，５３，５４によって矩形状をなしている。図５に示されるように、移動枠５０には、固定枠４０と対向する側に、固定枠４０の溝４５ｃに噛み合う凸部５５が形成されている。ここで、溝４５ｃに、移動枠５０の枠材５１，５２，５３、５４自体が入り込むことで、固定枠４０と移動枠５０とが噛み合うようにしてもよい。
図１〜図４に示されるように、移動枠５０には、下方の枠材５１と上方の枠材５３との間に上下方向に延びる連結部材５７，５７が設けられ、連結部材５７，５７の間には、ベース部材５８が掛け渡されている。
この移動枠５０を支持するため、外枠２０の開口部２６において底板部２１と天板部２２との間には、二本一対の支柱２７，２７が固定されている。これら支柱２７，２７の長さ方向中央部には、支柱２７，２７間に掛け渡されたベース部材２８が設けられている。
【００２１】
外枠２０側に設けられたベース部材２８と、移動枠５０のベース部材５８との間には、移動枠５０を、外枠２０の内側で、固定枠４０に対し、接近・離間させる移動枠駆動部６０が設けられている。この実施形態において、移動枠駆動部６０として、パンタグラフ状のジャッキ装置６１が設けられている。
図４に示されるように、ジャッキ装置６１は、外枠２０側のベース部材２８と、移動枠５０側のベース部材５８との間に設けられている。詳しくは、ジャッキ装置６１は、ベース部材２８に回動自在に連結された一対のアーム６２Ａ，６２Ｂと、ベース部材５８に回動自在に連結された一対のアーム６３Ａ，６３Ｂと、ジャッキ装置６１を伸縮駆動させるドライブシャフト６４と、を備えている。
ドライブシャフト６４には、ドライブシャフト６４の軸方向に間隔を空けて設けられた雌ネジ部材６５Ａ，６５Ｂが螺着されている。ここで、雌ネジ部材６５Ａ、及びドライブシャフト６４において雌ネジ部材６５Ａが螺合する部分は、順ネジであり、雌ネジ部材６５Ｂ、及びドライブシャフト６４において雌ネジ部材６５Ｂが螺合する部分は、逆ネジである。そして、一方の雌ネジ部材６５Ａには、アーム６２Ａ，６３Ａが回動自在に連結され、他方の雌ネジ部材６５Ｂには、アーム６２Ｂ，６３Ｂが回動自在に連結されている。
ドライブシャフト６４は、ジャッキ装置６１から側方に延び、その先端部に操作ハンドル６４ｈが設けられている。この操作ハンドル６４ｈは、外枠２０の扉体２３ｄを開いたときに、側面開口２３ａの内側に位置するよう設けられている。
このようなジャッキ装置６１は、操作ハンドル６４ｈを手で回すと、操作ハンドル６４ｈとともにドライブシャフト６４がその中心軸回りに回転する。ドライブシャフト６４が回転すると、ドライブシャフト６４に沿って雌ネジ部材６５Ａ，６５Ｂが互いに接近又は離間する方向に移動する。これによって、外枠２０のベース部材２８に連結された一対のアーム６２Ａ，６２Ｂと、移動枠５０のベース部材５８に連結された一対のアーム６３Ａ，６３Ｂとのそれぞれの開き角が変動すると、移動枠５０が、外枠２０のベース部材２８から離間又は接近し、固定枠４０に対して接近又は離間する。
ここで、移動枠５０の移動方向を規制するため、その移動方向に沿って延びるガイドレール（図示無し）等を設けてもよい。
【００２２】
図３、図５に示されるように、上記したようなフィルタ装置１０に装着されるフィルタ濾材１００は、不織布、網体、多孔質体等、所定径以上の異物を捕捉する材料で形成されている。本実施形態では、フィルタ濾材１００は、例えば厚さ２０ｍｍ程度の不織布で形成されている。フィルタ濾材１００は、固定枠４０の突き当たり部４５及び移動枠５０よりも大きく形成されている。
図５に示されるように、フィルタ濾材１００は、その上端部１００ｔが、フィルタ吊下部３０に設けられた上記ガイドレール３１に吊下される。このため、フィルタ濾材１００の上端部１００ｔには、クリップ部材１１０が装着される。クリップ部材１１０は、互いに対向する一対の挟持板１１３，１１３と、これら一対の挟持板１１３，１１３の上端同士を連結する連結板１１４と、を一体に備えている。このクリップ部材１１０は、バネ性を有した薄板状の鋼板を折り曲げて加工したもので、挟持板１１３，１１３は、上方から下方に向かって、その間隔が漸次小さくなり、かつ挟持板１１３，１１３の下端同士が互いに接近する方向に付勢されている。このようなクリップ部材１１０は、挟持板１１３，１１３の間に、フィルタ濾材１００の上端部１００ｔを挟み込むことで、フィルタ濾材１００に装着される。
このようなクリップ部材１１０には、市販の、いわゆるダブルクリップを用いることができる。クリップ部材１１０は、フィルタ濾材１００の上端部１００ｔに、間隔を空けて複数装着するのが好ましい。
クリップ部材１１０が装着されたフィルタ濾材１００は、クリップ部材１１０を、ガイドレール３１の保持爪部３１ｃ、３１ｃの間に挿入する。クリップ部材１１０の挟持板１１３，１１３は、下方から上方に向かってその間隔が漸次大きくなっているので、挟持板１１３，１１３の上下方向の中間部が保持爪部３１ｃ、３１ｃに突き当たることで、下方への移動が規制される。
【００２３】
また、フィルタ濾材１００は、その外周部が、固定枠４０と移動枠５０とに挟み込まれて保持される。このとき、固定枠４０に形成された溝４５ｃに、移動枠５０の凸部５５が入り込むように押圧されることで、溝４５ｃと凸部５５との間でフィルタ濾材１００の外周部全周が挟み込まれて保持される。
【００２４】
次に、フィルタ濾材１００のフィルタ装置１０への着脱方法について説明する。
フィルタ濾材１００をフィルタ装置１０に装着するに際しては、外枠２０の扉体２３ｄを開く。次いで、操作ハンドル６４ｈによりドライブシャフト６４を回してジャッキ装置６１を短縮させ、図６に示されるように、移動枠５０を固定枠４０から離間させた状態とする。
この状態で、フィルタ濾材１００の上端部１００ｔを、ガイドレール３１の保持爪部３１ｃ，３１ｃの間のスリット３１ｓに挿入する。このとき、フィルタ濾材１００を、スリット３１ｓに沿って固定枠４０及び移動枠５０に対向する所定の位置まで挿入したら、フィルタ濾材１００から手を離せば、自重によって上端部１００ｔに装着したクリップ部材１１０が保持爪部３１ｃ，３１ｃに突き当たる。これによって、フィルタ濾材１００がガイドレール３１に吊下される。
次いで、操作ハンドル６４ｈによりドライブシャフト６４を回してジャッキ装置６１を伸長させ、移動枠５０を固定枠４０に接近させる。図３、図５に示されるように、移動枠５０と固定枠４０とで、フィルタ濾材１００の外周部を挟み込むことで、フィルタ濾材１００がフィルタ装置１０に装着される。その後、外枠２０の扉体２３ｄを閉じる。
このとき、外枠２０の側板部２４に設けられた覗き窓２４ｗを通して、側板部２４側におけるフィルタ濾材１００の装着状況を目視によって確認することができる。
【００２５】
このようにしてフィルタ装置１０にフィルタ濾材１００が装着された状態で、開口部２５から開口部２６へと外気が通り抜ける際、外気はフィルタ濾材１００を通気する。これにより、外気に、虫等の異物が含まれていた場合、異物は、フィルタ濾材１００で捕捉される。フィルタ濾材１００で捕捉された異物がフィルタ濾材１００から落下すると、外枠２０の底板部２１に設けられたトレー２９上に回収される。
【００２６】
フィルタ濾材１００をフィルタ装置１０から取り外すに際しては、外枠２０の扉体２３ｄを開く。次いで、操作ハンドル６４ｈによりドライブシャフト６４を回してジャッキ装置６１を短縮させ、図６に示されるように、移動枠５０を固定枠４０から離間させた状態とする。
この状態で、フィルタ濾材１００は、ガイドレール３１から吊下された状態となるので、フィルタ濾材１００をガイドレール３１のスリット３１ｓに沿ってスライドさせ、側板部２３の側面開口２３ａから引き出すことで、フィルタ濾材１００を取り外すことができる。
【００２７】
上述したようなフィルタ装置１０によれば、筒状をなし、一端側と他端側にそれぞれ開口部２５、２６を有した外枠２０と、外枠２０の内側に設けられ、一端側の開口部２５と他端側の開口部２６とを結ぶ方向に対して交差する面内に位置するフィルタ濾材１００の上端部１００ｔを支持してフィルタ濾材１００を吊下するフィルタ吊下部３０と、フィルタ濾材１００に対して一端側の開口部２５の内側に固定され、フィルタ濾材１００の外周部に突き当たる固定枠４０と、フィルタ濾材１００に対して他端側に配置され、固定枠４０に対して接離する方向に移動可能に設けられ、固定枠４０との間にフィルタ濾材１００の外周部を挟み込む移動枠５０と、移動枠５０を固定枠４０に対して接離する方向に移動させる移動枠駆動部６０と、を備える。
このような構成によれば、フィルタ濾材１００は、フィルタ吊下部３０によって上端部１００ｔが吊下されるとともに、固定枠４０と移動枠５０とに外周部が挟み込まれることで支持される。これにより、フィルタ濾材１００自体にフィルタ枠を備える必要が無く、交換用のフィルタコストを抑えることができる。また、フィルタ濾材１００のみを交換すればよいので、メンテナンスの手間も軽減される。さらに、移動枠５０を移動枠駆動部６０によって移動させることができるので、フィルタ交換の作業性も高まる。
また、固定枠４０は外枠２０の開口部２５の内側に固定され、この固定枠４０と移動枠５０との間にフィルタ濾材１００の外周部が挟み込まれるので、フィルタ濾材１００の外側を回り込んで外気が通り抜けてしまうことがなく、外気に含まれる異物をフィルタ濾材１００で確実に捕捉することができる。
したがって、フィルタ装置１０としての性能を維持しつつ、メンテナンスの手間およびコストを低減することが可能となる。
【００２８】
また、フィルタ吊下部３０は、一端側の開口部２５と他端側の開口部２６とを結ぶ方向に対して交差する方向に延びるスリット３１ｓを有したガイドレール３１を備え、フィルタ濾材１００の上端部１００ｔに、スリット３１ｓにより下方への移動が規制されつつ、スリット３１ｓに沿って移動可能なクリップ部材１１０が装着されている。
このような構成によれば、クリップ部材１１０をスリット３１ｓに沿って移動させることで、クリップ部材１１０でフィルタ濾材１００を吊下したまま、フィルタ濾材１００をフィルタ装置１０に容易に装着することができる。
さらに、クリップ部材１１０に、市販のダブルクリップを用いれば、クリップ部材１１０のコストを抑えることができる。
【００２９】
また、固定枠４０に溝４５ｃが形成され、移動枠５０に溝４５ｃに入り込む凸部５５が形成されている。このような構成によれば、溝４５ｃと凸部５５とでフィルタ濾材１００を挟み込むことで、固定枠４０と移動枠５０とでフィルタ濾材１００を確実に保持することができる。さらに、フィルタ濾材１００の外側を回り込んで外気が通り抜けてしまうことを、より確実に防ぐことができ、外気に含まれる異物をフィルタ濾材１００で確実に捕捉することができる。
【００３０】
また、フィルタ装置１０は、外枠２０の一側面に形成された側面開口２３ａと、側面開口２３ａを開閉する扉体２３ｄと、外枠２０において側面開口２３ａと対向する側に形成された覗き窓２４ｗと、を備える。
このような構成によれば、フィルタ装置１０へのフィルタ濾材１００の着脱時には、側面開口２３ａを通してフィルタ濾材１００をフィルタ装置１０に着脱することができる。また、側面開口２３ａ及び側面開口２３ａを開閉する扉体２３ｄは、外枠２０の一側面のみに形成すればよいので、フィルタ装置１０のコストを抑えることができる。
また、側面開口２３ａの反対側に覗き窓２４ｗを設けることで、フィルタ濾材１００の固定枠４０と移動枠５０との間への固定状況等を、扉体２３ｄとは反対側から、目視により確認することができる。
【符号の説明】
【００３１】
１０      フィルタ装置              ３１ｓ      スリット
２０      外枠                      ４０        固定枠
２３ａ    側面開口                  ４５ｃ      溝
２３ｄ    扉体                      ５０        移動枠
２４ｗ    覗き窓                    ５５        凸部
２５      開口部                    ６０        移動枠駆動部
２６      開口部                    １００      フィルタ濾材
２８      ベース部材                １００ｔ    上端部
３０      フィルタ吊下部            １１０      クリップ部材
３１      ガイドレール
【図１】
2018054195.tif 000003
【図２】
2018054195.tif 000004
【図３】
2018054195.tif 000005
【図４】
2018054195.tif 000006
【図５】
2018054195.tif 000007
【図６】
2018054195.tif 000008